(57)【要約】【課題】発呼者が端末に対してコンテンツをザッピングするような操作をしなくても、発呼者の嗜好にあったコンテンツを着呼者に応じてリングバック情報として選択することを可能とするコンテンツ選択装置を提供する。【解決手段】第１の端末から第２の端末に発呼があった時に、前記第２の端末に対応付けられている１又は複数のコンテンツのうち、前記第１の端末にとっての嗜好指数がより高いジャンルに属するコンテンツを優先的にリングバック情報として用いるコンテンツとして選択する選択手段を備える。【選択図】図２
2012205211.tif 000002
【特許請求の範囲】
【請求項１】
第１の端末から第２の端末に発呼があった時に、前記第２の端末に対応付けられている１又は複数のコンテンツのうち、前記第１の端末にとっての嗜好指数がより高いジャンルに属するコンテンツを優先的にリングバック情報として用いるコンテンツとして選択する選択手段を備えることを特徴とするコンテンツ選択装置。
【請求項２】
請求項１に記載のコンテンツ選択装置であって、
前記選択手段は、前記第２の端末に対応付けられている１又は複数のコンテンツのうち、前記第１の端末にとっての嗜好指数が第１の値である第１のジャンルに属するコンテンツを、前記第１の端末にとっての嗜好指数が前記第１の値よりも低い第２の値である第２のジャンルに属するコンテンツよりも優先して、リングバック情報として用いるコンテンツとして選択することを特徴とするコンテンツ選択装置。
【請求項３】
請求項１又は２に記載のコンテンツ選択装置であって、
前記選択手段は、
前記第１の端末に対応したジャンル別の嗜好指数に応じた発生確率で１のジャンルを選択するジャンル選択手段と、
前記ジャンル選択手段により選択された１のジャンルに属する１以上のコンテンツの識別情報を抽出する抽出手段と、
前記抽出手段により抽出された１以上のコンテンツの識別情報のうちの前記第２の端末に対応付けられている何れかのコンテンツの識別情報を、前記リングバック情報として用いるコンテンツの識別情報として選択するコンテンツ選択手段と、
を備えることを特徴とするコンテンツ選択装置。
【請求項４】
請求項３に記載のコンテンツ選択装置であって、
前記選択手段は、更に、
前記抽出手段により抽出された１以上のコンテンツの識別情報のうちの少なくとも１のコンテンツの識別情報が前記第２の端末に対応付けられているか否かを判断する判断手段と、
を備え、
前記判断手段による判断結果が真となるまで、前記ジャンル選択手段、前記抽出手段及び前記判断手段が動作し、
前記判断手段による判断結果が真となった後に、前記コンテンツ選択手段は、動作することを特徴とするコンテンツ選択装置。
【請求項５】
請求項４に記載のコンテンツ選択装置であって、
前記ジャンル選択手段は、各端末に対してジャンル別の嗜好指数を対応付ける評価データベースを参照し、
前記抽出手段は、コンテンツの識別情報と該コンテンツの属するジャンルとを対応付けるコンテンツ−ジャンル紐付データベースを参照し、
前記判断手段は、各端末に対して１又は複数のコンテンツの識別情報を対応付けるコンテンツ−端末紐付データベースを参照することを特徴とするコンテンツ選択装置。
【請求項６】
請求項５に記載のコンテンツ選択装置であって、
前記評価データベースと、前記コンテンツ−ジャンル紐付データベースと、前記コンテンツデータベースを更に備えることを特徴とするコンテンツ選択装置。
【請求項７】
請求項１乃至６の何れか１に記載のコンテンツ選択装置であって、
前記リングバック情報を受けた前記第１の端末からの前記リングバック情報についての評価情報により前記第１の端末の選択されたコンテンツが属するジャンルについての前記嗜好指数を更新する更新手段を更に備えることを特徴とするコンテンツ選択装置。
【請求項８】
請求項１乃至７の何れか１に記載のコンテンツ選択装置であって、
前記第２の端末に対応付けられているコンテンツは複数であることを特徴とするコンテンツ選択装置。
【請求項９】
第１の端末から第２の端末に発呼があった時に、前記第２の端末に対応付けられている１又は複数のコンテンツのうち、前記第１の端末にとっての嗜好指数がより高いジャンルに属するコンテンツを優先的にリングバック情報として用いるコンテンツとして選択する選択ステップを有することを特徴とするコンテンツ選択方法。
【請求項１０】
第１の端末から第２の端末に発呼があった時に、前記第２の端末に対応付けられている１又は複数のコンテンツのうち、前記第１の端末にとっての嗜好指数がより高いジャンルに属するコンテンツを優先的にリングバック情報として用いるコンテンツとして選択する選択手段を備えることを特徴とするコンテンツ選択装置としてコンピュータを機能させるためのコンテンツ選択用プログラム。
【発明の詳細な説明】
【技術分野】
【０００１】
本発明は、コンテンツを選択するためのコンテンツ選択装置、コンテンツ選択方法及びコンテンツ選択用プログラムに関し、特に、発呼側端末が着呼側端末に発信をしてから両端末が接続されるまでの間に発呼側端末が受けるリングバック情報（リングバックメロディ、リングバック用静止画、リングバック用動画、リングバック用文字列、リングバック用鳴動パターン等）として用いるコンテンツを選択するためのコンテンツ選択装置、コンテンツ選択方法及びコンテンツ選択用プログラムに関する。
【背景技術】
【０００２】
通常存在する、携帯端末間の送受信において、発呼側携帯端末がリングバックトーンの代わりに受信側携帯端末に設定されている音楽等のメロディコンテンツを受ける、所謂リングバックメロディといわれるサービスでは、受信側携帯端末に設定されている複数のコンテンツの中から発呼側携帯端末が指定した特定のコンテンツを提供する方法（方法１）、あるいは全くランダムに指定されたコンテンツを提供する方法（方法２）のいずれかの方法でしかコンテンツの提供は行われない。
【０００３】
また、発呼者の端末をリモコンのようにして、着呼者の端末に対して予め登録されているリングバックメロディの再生を制御する発明が特許文献１に記載されている。制御には、スキップ、巻戻し、早送り、スロー、アップテンポ、一時停止、繰返しなどが含まれる。従って、スキップに対応した端末のボタンを押せば、発呼者は、着呼者の端末に対して予め登録されている次のリングバックメロディを聴くことができる。
【０００４】
更に、発呼者の嗜好に合うリングバックメロディを発呼者に聞かせる発明が特許文献２に記載されている。
【０００５】
更に、着呼者の嗜好に合うリングバックメロディ又はディフォルトのリングバックメロディを発呼者についての情報等に基づいて選択する発明が特許文献３に記載されている。
【先行技術文献】
【特許文献】
【０００６】
【特許文献１】特開２００９−２９０３２７号公報
【特許文献２】特表２００９−５１６４２５号公報
【特許文献３】特表２０１０−５３１６０３号公報
【発明の概要】
【発明が解決しようとする課題】
【０００７】
上記の方法１では、通話者にとっては毎回同じコンテンツしか提供されない。また、上記の方法２では、通話者の嗜好に合わないコンテンツが提供されることがあり、顧客満足度の向上を妨げている。
【０００８】
特許文献１に記載の発明では発呼端末が着呼端末に対応付けられているメロディコンテンツ情報を取得する必要があるなど、必要とするトラフィック量の大きさなどの面から実用性に欠ける。また、特許文献１に記載の発明では、発呼者は、嗜好にあったリングバックメロディを探し当てるまで、スキップを繰り返してザッピングをする必要がある。
【０００９】
特許文献２に記載の発明では通話者の嗜好情報を入力するのに、ＷＥＢ上へアクセスする必要がある。また、特許文献２に記載の発明では、発呼者の嗜好にあったリングバックメロディを選択することはできるが、着呼者の嗜好を加味することができない。従って、同一の発呼者にとってみれば、誰に発呼しても、同様なリングバックメロディを聞かされるのみであり、面白みがない。
【００１０】
また、特許文献３に記載の発明ではコンテンツ毎にリングバックメロディとしての発信の有効/無効をコントロールする。また、特許文献３に記載の発明では、発呼者が聞くことができるのは、着呼者の嗜好に合うリングバックメロディ又はディフォルトのリングバックメロディのうちの何れかのみであり、やはり、発呼者にとってみれば面白みがない。
【００１１】
本発明は、発呼者が端末に対してコンテンツをザッピングするような操作をしなくても、発呼者の嗜好にあったコンテンツを着呼者に応じてリングバック情報として選択することを可能とするコンテンツ選択装置、コンテンツ選択方法及びコンテンツ選択用プログラムを提供することを目的とする。
【課題を解決するための手段】
【００１２】
本発明の第１の観点によれば、第１の端末から第２の端末に発呼があった時に、前記第２の端末に対応付けられている１又は複数のコンテンツのうち、前記第１の端末にとっての嗜好指数がより高いジャンルに属するコンテンツを優先的にリングバック情報として用いるコンテンツとして選択する選択手段を備えることを特徴とするコンテンツ選択装置が提供される。
【００１３】
また、本発明の第２の観点によれば、第１の端末から第２の端末に発呼があった時に、前記第２の端末に対応付けられている１又は複数のコンテンツのうち、前記第１の端末にとっての嗜好指数がより高いジャンルに属するコンテンツを優先的にリングバック情報として用いるコンテンツとして選択する選択ステップを有することを特徴とするコンテンツ選択方法が提供される。
【００１４】
更に、本発明の第３の観点によれば、第１の端末から第２の端末に発呼があった時に、前記第２の端末に対応付けられている１又は複数のコンテンツのうち、前記第１の端末にとっての嗜好指数がより高いジャンルに属するコンテンツを優先的にリングバック情報として用いるコンテンツとして選択する選択手段を備えることを特徴とするコンテンツ選択装置としてコンピュータを機能させるためのコンテンツ選択用プログラムが提供される。
【発明の効果】
【００１５】
本発明によれば、発呼者が端末に対してコンテンツをザッピングするような操作をしなくても、発呼者の嗜好にあったコンテンツを着呼者に応じてリングバック情報として選択することが可能となる。
【図面の簡単な説明】
【００１６】
【図１】本発明の実施形態によるシステムの構成を示す概念図である。
【図２】図１に示すコンテンツ選択装置の構成を示すブロック図である。
【図３】図２に示す評価データベースに含まれるデータの一例を示す図である。
【図４】図２に示すコンテンツ−ジャンル紐付データベースに含まれるデータの一例を示す図である。
【図５】図２に示すコンテンツ−端末紐付データベースに含まれるデータの一例を示す図である。
【図６】図２に示すプッシュボタン−加算／減算ポイントテーブルに含まれるデータの一例を示す図である。
【図７】図２に示すコンテンツ選択部の動作を説明するためのフローチャートである。
【図８】図２に示す更新部の動作を説明するためのフローチャートである。
【発明を実施するための形態】
【００１７】
以下、図面を参照して本発明を実施するための形態について詳細に説明する。
【００１８】
図１は、本発明の実施形態によるシステムの全体を示す概念図である。
【００１９】
図１を参照すると、このシステムは、発呼側携帯端末１０１、着呼側携帯端末１０３、コンテンツ選択装置１０５及びこれらを接続する携帯電話網１０７を含む。なお、図１では、説明のために、携帯電話網１０７に接続されている携帯端末が２つだけであるとしているが、一般的には、携帯電話網１０７には、多数の携帯電話網が接続されている。また、以下では、携帯端末のことを単に端末ということがある。端末は、通常の携帯端末のみならず、スマートフォン、タブレット型端末を含む。また、本発明では、端末は、ＩＰ電話機、ｓｋｙｐｅ端末、パーソナルコンピュータ、ＰＤＡ(Personal Digital Assistant)等であってもよい。
【００２０】
コンテンツ選択装置１０５は、発呼側携帯端末１０１が着呼側携帯端末１０３に発信をしてから両端末１０１、１０３が接続されるまでの間に発呼側携帯端末１０１が受けるリングバック情報として用いるコンテンツの識別情報を選択して、その識別情報に対応するコンテンツを発呼側携帯端末１０１に送信する。発呼側携帯端末１０１は、受信したコンテンツを再生してスピーカや画面などに出力する。
【００２１】
図２は、コンテンツ選択装置１０５の内部の構成を示すブロック図である。
【００２２】
図２を参照すると、コンテンツ選択装置１０５は、インターフェース部２０１、評価データベース２０３、コンテンツ−ジャンル紐付データベース２０５、コンテンツ−端末紐付データベース２０７、コンテンツデータベース２０９、選択部２１１、送信部２１３、ダイヤルボタン−加算／減算ポイント紐付テーブル２１５及び更新部２１７を含む。また、選択部２１１は、ジャンル選択部２１１ａ、コンテンツ抽出部２１１ｂ、判断部２１１ｃ及びコンテンツ選択部２１１ｄを含む。
【００２３】
インターフェース部２０１は、携帯電話網１０７とコンテンツ選択装置１０５の各部との間のインターフェースを取る機能を有する。
【００２４】
評価データベース２０３は、各端末に対してジャンル別の嗜好指数を対応付ける。図３は、評価データベース２０３に含まれるデータの例を示す。この例では、端末電話番号が090-AAAA-AAAAである端末に対するＰＯＰのジャンルの嗜好指数は３であり、ロックのジャンルの嗜好指数は１であり、Ｒ＆Ｂのジャンルの嗜好指数は−４であり、ダンスのジャンルの嗜好指数は２である。携帯電話番号が他の番号である端末に対するジャンル別の嗜好指数は、図３に示すとおりであるが、この説明を省略する。
【００２５】
コンテンツ−ジャンル紐付データベース２０５は、コンテンツの識別情報（コンテンツＩＤ）とコンテンツの属するジャンルとを対応付ける。図４は、コンテンツ−ジャンル紐付データベース２０５に含まれるデータの例を示す。この例では、ＩＤが0001であるコンテンツがＰＯＰのジャンルに対応付けられ、ＩＤが0002であるコンテンツがクラシックのジャンルに対応付けられ、ＩＤが0003であるコンテンツがダンスのジャンルに対応付けられ、ＩＤが0004であるコンテンツがＰＯＰのジャンルに対応付けられている。
【００２６】
コンテンツ−端末紐付データベース２０７は、各端末に対して、１又は複数のコンテンツの識別情報を対応付ける。図５は、コンテンツ−端末紐付データベース２０７に含まれるデータの例を示す。この例では、端末電話番号が090-AAAA-AAAAである端末には、コンテンツの識別情報が0001であるコンテンツ、コンテンツの識別情報が0078であるコンテンツ等が対応付けられている。また、端末電話番号が090-BBBB-BBBBである端末には、コンテンツの識別情報が0001であるコンテンツ、コンテンツの識別情報が0002であるコンテンツが対応付けられている。更に、端末電話番号が090-CCCC-CCCCである端末には、コンテンツの識別情報が0015であるコンテンツ、コンテンツの識別情報が0049であるコンテンツが対応付けられている。
【００２７】
コンテンツデータベース２０９には、各コンテンツの識別情報に対応したコンテンツデータ（音楽、動画、静止画、文字、鳴動パターン等）が含まれている。
【００２８】
選択部２１１は、発呼側携帯端末１０１の電話番号及び着呼側携帯端末１０３の電話番号をインターフェース部２０１から入力したならば、評価データベース２０３、コンテンツ−ジャンル紐付データベース２０５及びコンテンツ−端末紐付データベース２０７を参照して、リングバック情報として用いられるべきコンテンツの識別情報を選択し、選択したコンテンツの識別情報を送信部２１３に出力する。
【００２９】
送信部２１３は、入力したコンテンツの識別情報を有するコンテンツをコンテンツデータベース２０９から読み出して、そのコンテンツを発呼側携帯端末１０１に送信する。
【００３０】
ダイヤルボタン−加算／減算ポイント紐付テーブル２１５は、端末のダイヤルボタンの番号又は記号と加算／減算ポイントとの対応関係を保持する。
【００３１】
更新部２１７は、発呼側携帯端末１０１でコンテンツが再生されている最中に、発呼側携帯端末１０１の使用者により押された発呼側携帯端末１０１のダイヤルボタンの番号又は記号に対応する加算／減算ポイントをダイヤルボタン−加算／減算ポイント紐付テーブル２１５から取得し、評価データベース２０３の該当する端末の該当するジャンルの嗜好指数を加算／減算ポイントだけ変化させる。ここで、該当する端末とは、発呼側携帯端末１０１であり、該当するジャンルとは、ジャンル選択部２１１ａにより最終的に選択されたジャンルである。
【００３２】
次に、選択部２１１の動作について、図２及び図７を参照して説明する。
【００３３】
図７を参照すると、まず、ジャンル選択部２１１ａは、発呼側携帯端末１０１に対応したジャンル別の嗜好指数に応じた発生確率で１のジャンルを選択する（ステップＳ３０１）。すなわち、ジャンル選択部２１１ａは、発呼側携帯端末１０１に対するジャンル別の嗜好指数を、評価データベース２０３から取得し、ジャンル別の嗜好指数に応じた発生確率で１のジャンルを選択する。ここで、嗜好指数に応じた発生確率とは、嗜好指数が大きいほど大きいという傾向を有する発生確率であればよい。但し、嗜好指数が増加しても、発生確率が変わらない部分があってもよい。また、或る嗜好指数で、発生確率がステップ状に変化する部分があってもよい。更に、嗜好指数が＋∞であるジャンルの発生確率を１００％にしたり、嗜好指数が−∞であるジャンルの発生確率を０％にしてもよい。
【００３４】
次に、コンテンツ抽出部２１１ｂは、ジャンル選択部２１１ａにより選択されたジャンルに属する１以上のコンテンツの識別情報をコンテンツ−ジャンル紐付データベース２０５から取得する（ステップＳ３０３）。通常は、コンテンツ抽出部２１１ｂは、コンテンツ−ジャンル紐付データベース２０５において、ジャンル選択部２１１ａにより選択されたジャンルに対応付けられている全てのコンテンツの識別情報を取得するが、そのうちの一部のみのコンテンツの識別情報を取得してもよい。図４を参照すると、例えば、選択されたジャンルがＰＯＰであれば、コンテンツの識別情報として0001と0004を取得する。
【００３５】
次に、判断部２１１ｃは、コンテンツ抽出部２１１ｂにより抽出されたコンテンツの識別情報のうちの少なくとも１のコンテンツの識別情報がコンテンツ−端末紐付データベース２０７において着呼側携帯端末１０３に対応付けられているか否かを判断する（ステップＳ３０５）。
【００３６】
ステップＳ３０５での判断結果が否定的である場合には（ステップＳ３０５でＮＯ）、ステップＳ３０１に戻る。
【００３７】
ステップＳ３０５での判断結果が肯定的である場合には（ステップＳ３０５でＹＥＳ）、コンテンツ選択部２１１ｄは、コンテンツ抽出部２１１ｂにより抽出されたコンテンツの識別情報のうちの、コンテンツ−端末紐付データベース２０７において着呼側携帯端末１０３に対応付けられている何れかのコンテンツの識別情報を、リングバック情報として用いるコンテンツの識別情報として選択する（ステップＳ３０７）。コンテンツ抽出部２１１ｂにより抽出されたコンテンツの識別情報のうちの、コンテンツ−端末紐付データベース２０７において着呼側携帯端末１０３に対応付けられているコンテンツの識別情報が複数ある場合には、コンテンツ選択部２１１ｄでは、所定の方法で、その複数のコンテンツの識別情報から１つのコンテンツの識別情報を選択する。所定の方法は、例えば、ランダムに選択する方法、着呼毎に順番に選択する方法などである。
【００３８】
次に、図８を参照して、更新部２１７が評価データベース２０３を更新する方法について説明をする。
【００３９】
まず、リングバック情報を着信側携帯端末１０１に送信し始めてから、所定時間内に着信側携帯端末１０１で何れかのプッシュボタンが押されたか否かを判断する（ステップＳ３２１）。押されずに、所定時間が経過したならば処理を中止する（ステップＳ３２１でＮＯ、ステップＳ３２３でＹＥＳ）。
【００４０】
所定時間内に着信側携帯端末１０１で何れかのプッシュボタンが押されたならば（ステップＳ３２１でＹＥＳ）、押されたプッシュボタンに対応する加算／減算ポイントをプッシュボタン−加算／減算ポイント紐付テーブル２１５から取得して、該当する端末の該当するジャンルの嗜好を加算／減算ポイントだけ変化させる。ここで、上述したように、該当する端末とは、発呼側携帯端末１０１であり、該当するジャンルとは、ジャンル選択部２１１ａにより最終的に選択されたジャンルである。
【００４１】
本実施形態によれば、発呼者が端末に対してコンテンツをザッピングするような操作をしなくても、発呼者の嗜好にあったコンテンツを着呼者に応じてリングバック情報として選択することが可能となる。
【００４２】
また、本実施形態によれば、嗜好指数を発呼側携帯端末で調整することができるので、顧客満足度を向上することができる。
【００４３】
なお、上記のコンテンツ選択装置は、ハードウェア、ソフトウェア又はこれらの組合わせにより実現することができる。また、上記のコンテンツ選択装置により行なわれるコンテンツ選択方法も、ハードウェア、ソフトウェア又はこれらに組合わせにより実現することができる。ここで、ソフトウェアによって実現されるとは、コンピュータがプログラムを読み込んで実行することにより実現されることを意味する。
【００４４】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４５】
上記の実施形態の一部又は全部は、以下の付記のようにも記載されうるが、以下には限られない。
【００４６】
（付記１）
第１の端末から第２の端末に発呼があった時に、前記第２の端末に対応付けられている１又は複数のコンテンツのうち、前記第１の端末にとっての嗜好指数がより高いジャンルに属するコンテンツを優先的にリングバック情報として用いるコンテンツとして選択する選択手段を備えることを特徴とするコンテンツ選択装置。
【００４７】
（付記２）
付記１に記載のコンテンツ選択装置であって、
前記選択手段は、前記第２の端末に対応付けられている１又は複数のコンテンツのうち、前記第１の端末にとっての嗜好指数が第１の値である第１のジャンルに属するコンテンツを、前記第１の端末にとっての嗜好指数が前記第１の値よりも低い第２の値である第２のジャンルに属するコンテンツよりも優先して、リングバック情報として用いるコンテンツとして選択することを特徴とするコンテンツ選択装置。
【００４８】
（付記３）
付記１又は２に記載のコンテンツ選択装置であって、
前記選択手段は、
前記第１の端末に対応したジャンル別の嗜好指数に応じた発生確率で１のジャンルを選択するジャンル選択手段と、
前記ジャンル選択手段により選択された１のジャンルに属する１以上のコンテンツの識別情報を抽出する抽出手段と、
前記抽出手段により抽出された１以上のコンテンツの識別情報のうちの前記第２の端末に対応付けられている何れかのコンテンツの識別情報を、前記リングバック情報として用いるコンテンツの識別情報として選択するコンテンツ選択手段と、
を備えることを特徴とするコンテンツ選択装置。
【００４９】
（付記４）
付記３に記載のコンテンツ選択装置であって、
前記選択手段は、更に、
前記抽出手段により抽出された１以上のコンテンツの識別情報のうちの少なくとも１のコンテンツの識別情報が前記第２の端末に対応付けられているか否かを判断する判断手段と、
を備え、
前記判断手段による判断結果が真となるまで、前記ジャンル選択手段、前記抽出手段及び前記判断手段が動作し、
前記判断手段による判断結果が真となった後に、前記コンテンツ選択手段は、動作することを特徴とするコンテンツ選択装置。
【００５０】
（付記５）
付記４に記載のコンテンツ選択装置であって、
前記ジャンル選択手段は、各端末に対してジャンル別の嗜好指数を対応付ける評価データベースを参照し、
前記抽出手段は、コンテンツの識別情報と該コンテンツの属するジャンルとを対応付けるコンテンツ−ジャンル紐付データベースを参照し、
前記判断手段は、各端末に対して１又は複数のコンテンツの識別情報を対応付けるコンテンツ−端末紐付データベースを参照することを特徴とするコンテンツ選択装置。
【００５１】
（付記６）
付記５に記載のコンテンツ選択装置であって、
前記評価データベースと、前記コンテンツ−ジャンル紐付データベースと、前記コンテンツデータベースを更に備えることを特徴とするコンテンツ選択装置。
【００５２】
（付記７）
付記１乃至６の何れか１に記載のコンテンツ選択装置であって、
前記リングバック情報を受けた前記第１の端末からの前記リングバック情報についての評価情報により前記第１の端末の選択されたコンテンツが属するジャンルについての前記嗜好指数を更新する更新手段を更に備えることを特徴とするコンテンツ選択装置。
【００５３】
（付記８）
付記１乃至７の何れか１に記載のコンテンツ選択装置であって、
前記第２の端末に対応付けられているコンテンツは複数であることを特徴とするコンテンツ選択装置。
【００５４】
（付記９）
第１の端末から第２の端末に発呼があった時に、前記第２の端末に対応付けられている１又は複数のコンテンツのうち、前記第１の端末にとっての嗜好指数がより高いジャンルに属するコンテンツを優先的にリングバック情報として用いるコンテンツとして選択する選択ステップを有することを特徴とするコンテンツ選択方法。
【００５５】
（付記１０）
付記９に記載のコンテンツ選択方法であって、
前記選択ステップでは、前記第２の端末に対応付けられている１又は複数のコンテンツのうち、前記第１の端末にとっての嗜好指数が第１の値である第１のジャンルに属するコンテンツを、前記第１の端末にとっての嗜好指数が前記第１の値よりも低い第２の値である第２のジャンルに属するコンテンツよりも優先して、リングバック情報として用いるコンテンツとして選択することを特徴とするコンテンツ選択方法。
【００５６】
（付記１１）
付記９又は１０に記載のコンテンツ選択方法であって、
前記選択ステップは、
前記第１の端末に対応したジャンル別の嗜好指数に応じた発生確率で１のジャンルを選択するジャンル選択ステップと、
前記ジャンル選択ステップにより選択された１のジャンルに属する１以上のコンテンツの識別情報を抽出する抽出ステップと、
前記抽出ステップにより抽出された１以上のコンテンツの識別情報のうちの前記第２の端末に対応付けられている何れかのコンテンツの識別情報を、前記リングバック情報として用いるコンテンツの識別情報として選択するコンテンツ選択ステップと、
を有することを特徴とするコンテンツ選択方法。
【００５７】
（付記１２）
付記１１に記載のコンテンツ選択方法であって、
前記選択ステップは、更に、
前記抽出ステップにより抽出された１以上のコンテンツの識別情報のうちの少なくとも１のコンテンツの識別情報が前記第２の端末に対応付けられているか否かを判断する判断ステップと、
を有し、
前記判断ステップによる判断結果が真となるまで、前記ジャンル選択ステップ、前記抽出ステップ及び前記判断ステップを行い、
前記判断ステップによる判断結果が真となった後に、前記コンテンツ選択ステップを行なうことを特徴とするコンテンツ選択方法。
【００５８】
（付記１３）
付記１２に記載のコンテンツ選択方法であって、
前記ジャンル選択ステップでは、各端末に対してジャンル別の嗜好指数を対応付ける評価データベースを参照し、
前記抽出ステップでは、コンテンツの識別情報と該コンテンツの属するジャンルとを対応付けるコンテンツ−ジャンル紐付データベースを参照し、
前記判断ステップでは、各端末に対して１又は複数のコンテンツの識別情報を対応付けるコンテンツ−端末紐付データベースを参照することを特徴とするコンテンツ選択方法。
【００５９】
（付記１４）
付記９乃至１３の何れか１に記載のコンテンツ選択方法であって、
前記リングバック情報を受けた前記第１の端末からの前記リングバック情報についての評価情報により前記第１の端末の選択されたコンテンツが属するジャンルについての前記嗜好指数を更新する更新ステップを更に有することを特徴とするコンテンツ選択方法。
【００６０】
（付記１５）
付記９乃至１４の何れか１に記載のコンテンツ選択方法であって、
前記第２の端末に対応付けられているコンテンツは複数であることを特徴とするコンテンツ選択方法。
【００６１】
（付記１６）
第１の端末から第２の端末に発呼があった時に、前記第２の端末に対応付けられている１又は複数のコンテンツのうち、前記第１の端末にとっての嗜好指数がより高いジャンルに属するコンテンツを優先的にリングバック情報として用いるコンテンツとして選択する選択手段を備えることを特徴とするコンテンツ選択装置としてコンピュータを機能させるためのコンテンツ選択用プログラム。
【００６２】
（付記１７）
付記１６に記載のコンテンツ選択用プログラムであって、
前記選択手段は、前記第２の端末に対応付けられている１又は複数のコンテンツのうち、前記第１の端末にとっての嗜好指数が第１の値である第１のジャンルに属するコンテンツを、前記第１の端末にとっての嗜好指数が前記第１の値よりも低い第２の値である第２のジャンルに属するコンテンツよりも優先して、リングバック情報として用いるコンテンツとして選択することを特徴とするコンテンツ用プログラム。
【００６３】
（付記１８）
付記１６又は１７に記載のコンテンツ選択用プログラムであって、
前記選択手段は、
前記第１の端末に対応したジャンル別の嗜好指数に応じた発生確率で１のジャンルを選択するジャンル選択手段と、
前記ジャンル選択手段により選択された１のジャンルに属する１以上のコンテンツの識別情報を抽出する抽出手段と、
前記抽出手段により抽出された１以上のコンテンツの識別情報のうちの前記第２の端末に対応付けられている何れかのコンテンツの識別情報を、前記リングバック情報として用いるコンテンツの識別情報として選択するコンテンツ選択手段と、
を備えることを特徴とするコンテンツ選択用プログラム。
【００６４】
（付記１９）
付記１８に記載のコンテンツ選択用プログラムであって、
前記選択手段は、更に、
前記抽出手段により抽出された１以上のコンテンツの識別情報のうちの少なくとも１のコンテンツの識別情報が前記第２の端末に対応付けられているか否かを判断する判断手段と、
を備え、
前記判断手段による判断結果が真となるまで、前記ジャンル選択手段、前記抽出手段及び前記判断手段が動作し、
前記判断手段による判断結果が真となった後に、前記コンテンツ選択手段は、動作することを特徴とするコンテンツ選択用プログラム。
【００６５】
（付記２０）
付記１９に記載のコンテンツ選択用プログラムであって、
前記ジャンル選択手段は、各端末に対してジャンル別の嗜好指数を対応付ける評価データベースを参照し、
前記抽出手段は、コンテンツの識別情報と該コンテンツの属するジャンルとを対応付けるコンテンツ−ジャンル紐付データベースを参照し、
前記判断手段は、各端末に対して１又は複数のコンテンツの識別情報を対応付けるコンテンツ−端末紐付データベースを参照することを特徴とするコンテンツ選択用プログラム。
【００６６】
（付記２１）
付記２０に記載のコンテンツ選択用プログラムであって、
前記コンテンツ選択装置は、
前記評価データベースと、前記コンテンツ−ジャンル紐付データベースと、前記コンテンツデータベースを更に備えることを特徴とするコンテンツ選択用プログラム。
【００６７】
（付記２２）
付記１６乃至２１の何れか１に記載のコンテンツ選択用プログラムであって、
前記コンテンツ選択装置は、
前記リングバック情報を受けた前記第１の端末からの前記リングバック情報についての評価情報により前記第１の端末の選択されたコンテンツが属するジャンルについての前記嗜好指数を更新する更新手段を更に備えることを特徴とするコンテンツ選択用プログラム。
【００６８】
（付記２３）
付記１６乃至２２の何れか１に記載のコンテンツ選択用プログラムであって、
前記第２の端末に対応付けられているコンテンツは複数であることを特徴とするコンテンツ選択用プログラム。
【産業上の利用可能性】
【００６９】
本発明は、携帯電話網から端末がリングバック情報を受信するための利用することができる。また、本発明は、携帯電話網がインターネット網に置き換わっても利用することができる。すなわち、本発明は、ＩＰ電話にも利用することができる。
【符号の説明】
【００７０】
１０１  発呼側携帯端末
１０３  着呼側携帯端末
１０５  コンテンツ選択装置
１０７  携帯電話網
２０１  インターフェース部
２０３  評価データベース
２０５  コンテンツ-ジャンル紐付データベース
２０７  コンテンツ−端末紐付データベース
２０９  コンテンツデータベース
２１１  選択部
２１１ａ  ジャンル選択部
２１１ｂ  コンテンツ抽出部
２１１ｃ  判断部
２１１ｄ  コンテンツ選択部
２１３  再生部
２１５  プッシュボタン−加算／減算ポイント紐付テーブル
２１７  更新部
【図１】
2012205211.tif 000003
【図２】
2012205211.tif 000004
【図３】
2012205211.tif 000005
【図４】
2012205211.tif 000006
【図５】
2012205211.tif 000007
【図６】
2012205211.tif 000008
【図７】
2012205211.tif 000009
【図８】
2012205211.tif 000010